(57)【要約】      （修正有）【課題】腰用コルセットを用いることなく、腰痛を防止しまたは緩和する腰当て板を提供する。【解決手段】固定板１４に、水平方向に離間させて、２個のベルト通し穴１８，２０を形成し、腰当て板１０を構成する。ベルト通し穴１８，２０は、固定板１４の縦中心線ＣＬに対して線対称位置に形成する。固定板１４は、矩形の上辺端縁１４ａの両端角部を斜めに切り取った六角形に形成する。装着者の背中に固定板１４が装着された状態で一方のベルト通し穴１８に対し外側から内側に向かうようにベルト１６を通す。さらに、他方のベルト通し穴２０に対し内側から外側に向かうようにベルト１６を通す。ズボンに取り付けるベルト１６を介して、固定板１４が腰部に押し当てられる。ベルト１６と固定板１４とによって脊椎が支持されるため、簡単な構成で腰痛が防止または緩和される。【選択図】図１
0003159436.tif 000002
【実用新案登録請求の範囲】
【請求項１】
装着者の背中に宛てがう固定板と、
前記固定板に形成され、前記装着者の背中に装着した状態で装着者使用のベルトが通る鉛直方向に長いベルト通し穴とを有し、
前記ベルト通し穴は水平方向に離間して複数形成されていることを特徴とする腰当て板。
【請求項２】
前記ベルト通し穴は、前記固定板の縦中心線に対して線対称位置に形成されていることを特徴とする請求項１記載の腰当て板。
【請求項３】
前記ベルト通し穴は２個形成されていることを特徴とする請求項２記載の腰当て板。
【請求項４】
前記ベルト通し穴は４個形成されていることを特徴とする請求項２記載の腰当て板。
【請求項５】
前記固定板は矩形の上辺端縁の両端角部が斜めに切り取られた六角形に形成されていることを特徴とする請求項１から４いずれか１項記載の腰当て板。
【請求項６】
前記ベルト通し穴は、固定板の下辺端縁に近接して形成され、前記ベルト通し穴から下辺端縁までの長さに対し前記ベルト通し穴から固定板の上辺端縁までの長さが長く形成されていることを特徴とする請求項５記載の腰当て板。
【請求項７】
前記ベルト通し穴から固定板の上辺端縁までの長さは、前記ベルト通し穴の鉛直方向長さの０．５倍〜３倍であることを特徴とする請求項６記載の腰当て板。
【請求項８】
前記固定板は、厚みが１ｍｍ以上１０ｍｍ以下の皮革から構成されていることを特徴とする請求項１から７いずれか１項記載の腰当て板。
【請求項９】
前記ベルト通し穴に通されるベルトを有することを特徴とする請求項１から８いずれか１項記載の腰当て板。
【請求項１０】
前記ベルトは、前記装着者の背中に前記固定板が装着された状態で一方のベルト通し穴に対し外側から内側に向かうように通され、他方のベルト通し穴に対し内側から外側に向かうように通されることを特徴とする請求項９記載の腰当て板。
【請求項１１】
前記ベルトは、前記装着者の背中に前記固定板が装着された状態で一方のベルト通し穴に対し内側から外側に向かうように通され、他方のベルト通し穴に対し外側から内側に向かうように通されることを特徴とする請求項９記載の腰当て板。
【考案の詳細な説明】
【技術分野】
【０００１】
本考案は、腰痛を防止したり、腰痛を緩和したりする腰当て板に関するものである。
【背景技術】
【０００２】
腰痛防止や腰痛緩和のために、各種腰用コルセットが提案されている。例えば、腰が前後に曲がることを抑制するため、腰に対して広い固定面を有する幅広の腰当て部と、この腰当て部の両端に連続し、腰当て部を腰に押しつけるための腰締めベルト部とを有する腰用コルセットがある（例えば特許文献１参照）。この腰用コルセットは、腰締めベルト部を腹側で締めつけていくことにより、腰当て部を腰に密着させ、脊椎の自動度をなくすことにより、直接的に腰が前後に曲がることを抑制する。
【０００３】
また、特許文献２には、腹側に幅広の腹当て部を設け、この腹当て部の一端からベルトを延設し、その他端部と腹当て部とに面ファスナーを設けて、面ファスナーにて腹当て部とベルトを連結することにより、腹に腹当て部を宛てがい、腰が前後に曲がることを抑制する。
【先行技術文献】
【特許文献】
【０００４】
【特許文献１】登録実用新案第３１１７４４６号公報
【特許文献２】特開２００９−１６００２７号公報
【考案の概要】
【考案が解決しようとする課題】
【０００５】
上記のような従来の腰用コルセットでは、腰当て部とベルト部、または腹当て部とベルト部が一体に形成されている。例えば腰当て部とベルト部が一体化されているため、構成が複雑になり、安価にて提供することができないという問題がある。また、コルセットの装着後に、ズボンを着用したり、逆にズボンを着用した後にコルセットを装着したりする必要があり、装着に時間を要するという問題がある。さらには、ズボンの上にコルセットを装着する場合には、ベルトの上からコルセットが装着されるため、下になったベルトを介して腹が圧迫され、窮屈感や過度の圧迫感等を装着者に与えてしまうという問題がある。また、ズボンを脱いだり、下ろしたりする場合には、コルセットを外した後にベルトを外す必要があり、例えば、排泄する際に手間を要するという問題がある。
【課題を解決するための手段】
【０００６】
本考案は、上記問題点を解消するためになされたものであり、装着者の背中に宛てがう固定板と、前記固定板に形成され、前記装着者の背中に装着した状態で装着者使用のベルトが通る鉛直方向に長いベルト通し穴とを有し、前記ベルト通し穴は水平方向に離間して複数形成されている。したがって、ベルトを通すためのベルト通し穴を複数有する固定板のみを用いて、ズボン着用時のベルトをベルト通し穴に通して腰に腰当て板を密着させることができる。これにより、簡単な構成で腰用コルセットと同様に腰痛を予防したり、腰痛を緩和したりすることができる。
【０００７】
前記ベルト通し穴を、固定板の縦中心線に対して線対称位置に形成することにより、左右対称で固定板を腰に装着することができる。したがって、腰に左右均等に腰当て板を密着させることができ、確実に腰痛予防及び腰痛緩和することができる。
【０００８】
前記ベルト通し穴を２個とすることにより、構成簡単にして制作が容易になり、安価にて提供することができる。しかも、左右対称位置に形成されたベルト通し穴にベルトを通して、腰への当て面を選択し、例えば固定板の両側部をベルトにて腰に密着させる装着状態とすることにより、脊椎の両側から固定板を腰に密着させることができ、固定板の全幅を利用した腰の支持が可能になり、腰痛防止、腰痛緩和が可能になる。逆に、例えば固定板の中央部をベルトにて腰に密着させる装着状態とすることにより、固定板の中央部を用いて脊椎付近を集中的に支持することができ、腰痛防止・腰痛緩和が可能になる。しかも、一つの腰当て板にて、二通りの使い方が可能になり、使用者の好みや腰痛の具合に合わせて、いずれかを自由に選択することができる。
【０００９】
前記ベルト通し穴は４個形成されていることにより、ベルトの通し方で上記２種類の使い方を選択することができる他に、ベルトを通す穴を中央寄り側（内側）の２個、または外側の２個のいずれかを選択することにより、両側部幅広の両側部支持、両側部幅狭の両側部支持、中央部幅広の中央部支持、中央部幅狭の中央部支持という４種類の使い方が選択可能になる。したがって、使用者の好みに合わせて使い勝手の自由度が上がり、個人の腰痛状態に応じた最適な支持態様が得られ、より効果的に腰痛防止・腰痛緩和が可能になる。さらには、４個のベルト通し穴全てを用いることにより、固定板の両側部と中央部とをベルトにより腰に密着させることもできるようになる。
【００１０】
記固定板は矩形の上辺端縁の両端角部が斜めに切り取られた六角形に形成されていることにより、角部が背中に食い込むことがなく、無用な圧迫感をなくすことができる。
【００１１】
前記ベルト通し穴は、固定板の下辺端縁に近接して形成され、前記ベルト通し穴から下辺端縁までの長さに対し前記ベルト通し穴から固定板の上辺端縁までの長さが長く形成されていることにより、ベルトを介して、ベルトから上の腰部を確実に固定板で支持することができる。
【００１２】
前記ベルト通し穴から固定板の上辺端縁までの長さは、前記ベルト通し穴の鉛直方向長さの０．５倍〜３倍とすることにより、腰の支持感や圧迫感を微調整することができる。例えば、０．５倍未満では、腰の支持感や曲げ抑制効果が低くなる。また、３倍を超えると、曲げ抑制効果が大きくなり、装着者に圧迫感を与えてしまう。
【００１３】
前記固定板は、厚みが１ｍｍ以上１０ｍｍ以下の皮革から構成することにより、適度な剛性感を与えることができ、腰痛防止または腰痛緩和が得られる。厚みが１ｍｍ未満では充分な支持効果が期待できなくなり、また、厚みが１０ｍｍを超えると、柔軟性がなくなり、ほぼ全面を利用した支持効果が期待できなくなるとともに、装着者に圧迫感を与えてしまい好ましくない。
【００１４】
前記ベルト通し穴に通されるベルトを有することにより、ベルト通し穴のサイズに適合したベルトを使用することができ、所期の腰当てによる脊椎支持効果が得られるようになる。
【００１５】
前記ベルトは、前記装着者の背中に前記固定板が装着された状態で一方のベルト通し穴に対し外側から内側に向かうように通され、他方のベルト通し穴に対し内側から外側に向かうように通されることにより、固定板の両側部をベルトで腰に押しつけることができ、固定板の腰への密着度を上げることができる。
【００１６】
前記ベルトは、前記装着者の背中に前記固定板が装着された状態で一方のベルト通し穴に対し内側から外側に向かうように通され、他方のベルト通し穴に対し外側から内側に向かうように通されることにより、固定板の中央部をベルトで腰に押しつけることができ、固定板の中央部を背骨に密着させることができ、好みに合わせた密着具合を選択することができる。
【考案の効果】
【００１７】
本考案の腰当て板によれば、複数のベルト通し穴を有する固定板という簡単な構成で、使用中のベルトを用いて、従来の腰用コルセットと同様の効果が得られる腰当て板を構成することができる。したがって、固定板のみで構成することができるため、構成が簡単になり、安価にて提供することができる。しかも、使用中のベルトを用いるため、ズボンをはいて、ベルトを締めるだけで、腰当て板を簡単に装着することができ、従来のように、ベルト、腰用コルセットと２回の装着作業を行う必要がなくなる。また、排泄時にもベルトと腰用コルセットとを外す必要もなくなるので、使い勝手が良くなる。しかも、従来のようにベルトと腰用コルセットとによる二重装着の必要がなくなり、二重装着部での腹や腰への部分的な押圧がなくなり圧迫感が少なくなる。
【図面の簡単な説明】
【００１８】
【図１】本考案の腰当て板とベルトとを示す斜視図である。
【図２】腰当て板の装着状態を示す斜視図である。
【図３】ベルトにより腰当て板をズボンに取り付ける途中の状態を示す斜視図である。
【図４】腰当て板の異なる使用態様を示す斜視図である。
【図５】ベルト通し穴を４個設けた他の実施形態における腰当て板とその使用例を示す正面図である。
【図６】ベルト通し穴を４個設けた他の実施形態における腰当て板の使用例を示す正面図である。
【図７】固定板を上に長くした他の実施形態における腰当て板を示す斜視図である。
【図８】固定板を下に長くした他の実施形態における腰当て板を示す正面図である。
【図９】マグネットを設けた他の実施形態における腰当て板を示す正面図である。
【図１０】隆起部を設けた他の実施形態における腰当て板を示す正面図である。
【考案を実施するための形態】
【００１９】
図１及び図２に示すように、本考案の腰当て板１０は、装着者１２の背中に宛てがう固定板１４と、前記固定板１４に形成され、前記装着者１２の背中に装着した状態で装着者使用のベルト１６が通る鉛直方向に長い２個のベルト通し穴１８，２０とを有して構成されている。
【００２０】
前記固定板１４は矩形に形成されている。そして、上辺端縁１４ａの両端角部が斜めに切り取られて、六角形に形成されている。このように角が切り取られて新たな角部が鈍角にされるため、角部が背中に食い込むことがなく、無用な圧迫感をなくすことができる。
【００２１】
ベルト通し穴１８，２０は、ベルト１６の縦断面よりも僅かに大きいサイズで形成されている。これにより、ベルト１６を通したときにこのベルト通し穴１８，２０内でベルト１６が上下に移動することがなくなる。そして、ベルト１６に沿って平行に固定板１４がベルト１６に取り付けられ、この状態が維持される。ベルト１６は例えば革製ベルトが用いられる。通常は３５ｍｍ幅や５０ｍｍ幅で厚みが３ｍｍ以上７ｍｍ以下のサイズのものが多く出回っており、これらサイズの中から選択的に使用される。ベルト通し穴１８，２０は、使用するベルト１６のサイズに応じて形成されている。例えば、ベルト１６に対して上下左右に例えば２．５ｍｍの余裕ができるように、ベルト１６の幅及び厚みに５ｍ加えたサイズで、ベルト通し穴１８，２０が形成されている。
【００２２】
前記ベルト通し穴１８，２０は、固定板１４の下辺端縁１４ｂに近接して形成される。また、前記ベルト通し穴１８，２０から下辺端縁１４ｂまでの長さＬ１に対し前記ベルト通し穴１８，２０から固定板１４の上辺端縁１４ａまでの長さＬ２が長く形成されている。このようにベルト通し穴１８，２０から上の部分が長く形成されることにより、ベルト１６を介して、ベルト１６から上の腰部を確実に固定板１４で支持することができる。
【００２３】
前記ベルト通し穴１８，２０から上辺端縁１４ａまでの長さＬ２は、前記ベルト通し穴１８，２０の鉛直方向長さＬ３の０．３倍〜３倍の範囲内とすることにより、腰の支持感や圧迫感を適度に保持することができる。しかも、長さＬ３を上記範囲内で変えることにより、支持感や圧迫感を微調整することができる。なお、０．３倍未満では、腰の支持感や曲げ抑制効果が低くなる。また、３倍を超えると、曲げ抑制効果が大きくなり、装着者１２に圧迫感を与えてしまうので、好ましくない。Ｌ１は任意の長さで良いが、１０ｍｍ以上２０ｍｍ以下が好ましい。１０ｍｍ未満では強度的に問題があり、また、２０ｍｍを超えると、めくれ上がってしまい好ましくない。
【００２４】
前記固定板１４は皮革から構成してあり、厚みは特に限定されない。但し、牛革製固定板とした場合には、その厚みｔ１が１ｍｍ以上１０ｍｍ以下の範囲、好ましくは厚みが４ｍｍ以上７ｍｍ以下の範囲で構成することが好ましい。この厚みｔ１を達成するために、２枚またはそれ以上の枚数を重ねて接着し、外周縁部をミシン糸３０で縫い合わせている。このように厚みｔ１が１ｍｍ以上１０ｍｍ以下の牛革を使用することにより、固定板１４に適度な剛性感を与えることができ、腰痛防止または腰痛緩和の効果が得られる。厚みｔ１が１ｍｍ未満では充分な支持効果が期待できなくなり、また、厚みが１０ｍｍを超えると、柔軟性がなくなり、ほぼ全面を利用した支持効果が期待できなくなるとともに、装着者１２に圧迫感を与えてしまい好ましくない。
【００２５】
図３に示すように、ベルト１６はズボン２４のベルト通し帯部２６，２７，２８でずれることがないように保持されている。このため、固定板１４がベルト１６及びズボン２４を介して腰からずれることなく装着される。
【００２６】
図１に示すように、ベルト通し穴１８，２０は水平方向に離間しており、固定板１４の縦中心線ＣＬに対して線対称位置に形成されている。このようにすることで、図２に示すように、左右対称で固定板１４を腰に装着することができる。したがって、腰に左右均等に固定板１４を密着させることができ、確実に腰痛予防及び腰痛緩和することができる。
【００２７】
図３に示すように、使用に際しては、ズボン２４のベルト通し帯部２６〜２８にベルト１６を通す際に、ベルト１６で固定板１４の両側部１４ｄ，１４ｅを押さえるように、ベルト１６をベルト通し穴１８，２０に通す。すなわち、外側から内側に向けて一方のベルト通し穴１８にベルト１６を通す。次に、ズボン２４のベルト通し帯部２７にベルト１６を通した後に、内側から外側に向けて他方のベルト通し穴２０にベルト１６を通す。このようにして、ベルト１６に固定板１４を取り付けた状態で、ベルト１６を締めると、図２に示すようにベルト１６に沿って固定板１４が平行に取り付けられる。しかも、ベルト通し穴１８，２０間のベルト１６はズボン２４のベルト通し帯部２７に通されているので、固定板１４が脊椎を覆うように腰に取り付けられる。
【００２８】
図１に示すように、ベルト１６のバックル３２は、押圧棒スライドタイプバックルと、図示は省略したが係止爪タイプバックルとがあるが、いずれのバックルであっても利用可能である。ただし、無段階で締めつけ位置を変えられる押圧棒スライドタイプバックル３２が好ましく用いられる。押圧棒スライドタイプバックル３２は、バックル本体３４内に、ベルト挿通方向に移動する押圧棒３６を有するもので、バックル本体３４に形成された斜めスライド溝３８内で押圧棒３６が移動して押圧係止位置にセットされることで、ベルト１６をバックル３２に任意位置で固定するものである。また、係止爪タイプはベルトの係止穴にバックルの係止爪が係止してベルトをバックルに固定するもので、係止穴の位置でのみ係止するため段階的な係止位置となる点で、押圧棒スライドタイプバックル３２に比べて、締めつけ調整の自由度が低くなる。
【００２９】
このように、ベルト１６を通すためのベルト通し穴１８，２０を複数有する固定板１４のみを用いて、ズボン着用時のベルト１６をベルト通し穴１８，２０に通して腰に腰当て板１０を密着させることができる。したがって、ベルト１６を介して装着者１２の腰を固定板１４に密着することができるため、簡単な構成で腰用コルセットと同様に腰痛を予防したり、腰痛を緩和したりすることができる。
【００３０】
ベルト通し穴１８，２０を２個とすることにより、構成簡単にして制作が容易になり、安価にて提供することができる。しかも、左右対称位置に形成されたベルト通し穴１８，２０にベルト１６を通して、固定板１４を腰に当てる。これにより、例えば固定板１４の両側部１４ｄ，１４ｅをベルト１６にて腰に密着させる装着状態（図２及び図３参照）となる。したがって、脊椎の両側から固定板１４を腰に密着させることができ、固定板１４の全幅を利用した腰の支持が可能になり、腰痛防止、腰痛緩和が可能になる。
【００３１】
逆に、図４に示すように、固定板１４の腰が当たる内側面から一方のベルト通し穴１８にベルト１６を通した後に、固定板１４の外側面から内側面に向けて、他方のベルト通し穴２０にベルト通したベルト装着状態とすることにより、固定板１４の中央部１４ｃをベルト１６にて腰に密着させることができる。したがって、固定板１４の中央部１４ｃを用いて脊椎付近を集中的に支持することができ、腰痛防止・腰痛緩和が可能になる。
【００３２】
このように、一つの腰当て板１０にて、二通りの使い方が可能になり、使用者の好みや腰痛の具合に合わせて、いずれかを自由に選択することができる。
【００３３】
次に、図５（Ａ）〜（Ｅ）に示すように、水平方向に４個のベルト通し穴４１〜４４を設けた固定板４０について説明する。この実施形態では、（Ａ）に示すように、ベルト通し穴４１〜４４は、固定板４０の縦中心線ＣＬに対して線対称位置に形成している。そして、線対称位置にある２個のベルト通し穴４１，４４とベルト通し穴４２，４３をそれぞれ１組として、これらを組毎に選択してベルト１６を通すことで、上記２種類の表裏使い分けの使い方を選択することができる。しかも、ベルト１６を通す穴を中央寄り側（内側）の２個、または外側の２個のいずれかを選択することができる。
【００３４】
なお、図５（Ｂ）〜（Ｅ）は、固定板４０を装着者の背面側から見た状態を示している。図５（Ｂ）は、内側の１組のベルト通し穴に４２，４３に背面側からベルト１６を通した使用態様であり、固定板４０により両側部幅広の両側部支持が得られる。また、図５（Ｃ）は外側の１組のベルト通し穴４１，４４に背面側からベルト１６を通した使用態様であり、固定板により両側部幅狭の両側部支持が得られる。
【００３５】
図５（Ｄ）は外側の１組のベルト通し穴４１，４４に背面側からベルト１６を通した使用態様であり、固定板４０により中央部幅広の中央部支持が得られる。また、図５（Ｅ）は内側の１組のベルト通し穴４２，４３に腰が当たる内側面から外側面に向けてベルト１６を通した使用態様であり、中央部幅狭の中央部支持が得られる。
【００３６】
さらには、図６（Ａ）に示すように、４個のベルト通し穴４１〜４４全てを用いるようにベルト１６を通すことにより、固定板４０の両側部と中央部とをベルト１６により腰に密着させることもでき、脊椎の支持をより確実に行うことができる。さらには、図６（Ｂ）に示すように、（Ａ）とは逆のパターンのベルト１６の通し方も可能である。このように、ベルト通し穴４１〜４４へのベルト１６の通し方によって、６種類の使い方が選択可能になる。したがって、装着者の好みに合わせて使い勝手の自由度が上がり、各人の腰痛状態に応じた最適な支持態様が得られ、より効果的に腰痛防止・腰痛緩和が可能になる。
【００３７】
なお、上記実施形態では、固定板１４，４０からなる腰当て板１０について説明し、ベルト１６は既に使用中のものを利用するようにしたが、この他に、固定板１４とベルト１６とをセットにした腰当て板としてもよい。この場合には、予めベルト１６の幅及び厚みに合わせてベルト通し穴１８，２０、４１〜４４のサイズを決定したり、逆にベルト通し穴１８，２０、４１〜４４のサイズに合わせてベルト１６の幅及び厚みを決定したりすることができるので、ベルト通し穴１８，２０内でベルト１６が移動することがなく、固定板１４，４０が腰からずれることなく取り付けることができ、固定板１４，４０の腰当てによる所期の脊椎支持効果が得られる。
【００３８】
図７は、ベルト通し穴５１，５２から上の縦方向長さＬ２を図１の固定板１４より長くした別の固定板５０を示している。この固定板５０のように、ベルト通し穴５１，５２から上辺端縁５０ａまでの長さＬ２が、ベルト通し穴５１，５２の長さＬ３の２〜３倍程度の長さとすることにより、縦方向での固定板５０の腰密着部分の面積が増大して、脊椎の支持を確実に行うことができる。
【００３９】
なお、固定板１４の形状は腰を支持することができるものであればよく、矩形の他に、図８に示すような下辺端縁６０ｂの両端角部を切り取った八角形の固定板６０や、その他の形状、例えば楕円形の固定板であってもよい。また、上辺端縁または下辺端縁さらには両辺端縁ともに円弧状に突出させた略矩形状であってもよい。
【００４０】
図８は、ベルト通し穴６１，６２から下辺端縁６０ａまでの長さＬ１と、ベルト通し穴６１，６２から上辺端縁６０ａまでの長さＬ２とが等しくなるように、縦方向中央部にベルト通し穴６１，６２を形成した別の固定板６０を示している。そして、上辺端縁６０ａのみならず下辺端縁６０ｂの角部も斜めに切り落として、全体が八角形状になっている。この場合にも、縦方向での固定板６０の腰密着部分の面積が増大し、しかも上下均等に固定板６０を腰に当てることができ、脊椎の支持を確実に行うことができる。
【００４１】
図８は、図１の固定板１４と同形状の固定板７０に対して、ベルト通し穴７１，７２の間の中央部に例えば縦二列に３個の計６個のマグネット７４を取り付けたものである。マグネット７４は埋め込み方式でも貼り付け方式でも内蔵方式でもよい。貼り付け方式では、固定板７０の表面からマグネット７４が突起として突出するため、マッサージ効果も期待することができる。また、マグネット７４による血行促進効果が得られる。また、マグネット７４に代えてまたは加えて、ゲルマニウム粒子を含むものも同様にして、埋め込み、貼り付け、内蔵させてもよい。マグネット７４等は、ベルト通し穴７１，７２の間の中央部に設けたが、これに代えてまたは加えて、両側部にこれらマグネット７４等を設けてもよい。
【００４２】
図９は、図１の固定板１４と同形状の固定板８０に対して、ベルト通し穴８１，８２と両側縁との間に、隆起部８４を形成して、部分的に密着効果を高めたものである。なお、隆起部８４は、２個のベルト通し穴８１，８２の間に設けてもよく、さらには両側部と中央部の両方に設けてもよい。隆起部８４は、皮革を接着したり縫いつけたりすることで取り付けることができる。なお、隆起部８４は皮革に限らず、固定板の表面から突出するものであればよく、材質も例えば合成樹脂や金属などから構成してよい。
【００４３】
上記実施形態では、固定板は牛革で形成したが、これは他の皮革や合成皮革を使ってもよく、皮革以外の柔軟性を有する合成樹脂、木材、金属などであってもよい。また、固定板には芯材を入れて、剛性を高めてもよい。
【符号の説明】
【００４４】
１０  腰当て板
１２  装着者
１４  固定板
１６  ベルト
１８，２０  ベルト通し穴
２４  ズボン
２６，２７，２８  ベルト通し帯部
４０，５０，６０，７０，８０  固定板
７４  マグネット
８４  隆起部  
【図１】
0003159436.tif 000003
【図２】
0003159436.tif 000004
【図３】
0003159436.tif 000005
【図４】
0003159436.tif 000006
【図５】
0003159436.tif 000007
【図６】
0003159436.tif 000008
【図７】
0003159436.tif 000009
【図８】
0003159436.tif 000010
【図９】
0003159436.tif 000011
【図１０】
0003159436.tif 000012